(57)【特許請求の範囲】
【請求項１】
本体の長手方向略中央から突出された接続管と、前記本体の底面に開口された吸込開口と、該吸込開口の上方に位置する前記本体内で回転可能に配置された回転清掃体と、前記本体の両端に回転可能に保持された一対の車輪と、該車輪の一方の内周面に設けられた内歯ギヤと、該内歯ギヤと噛み合うと共に前記回転清掃体の回転軸よりも上方且つ前記接続管寄りに配置された駆動ギヤと、該駆動ギヤと同軸に設けられた連動ギヤと、該連動ギヤと噛み合うと共に前記回転軸に設けられて前記車輪の回転方向と逆方向に前記回転清掃体を回転させる従動ギヤとを備えていることを特徴とする電気掃除機の吸込口体。
【発明の詳細な説明】
【０００１】
【発明の属する技術分野】
本発明は、電磁掃除機に使用される吸込口体、回転清掃体を設けた電気掃除機の吸込口体に関する。
【０００２】
【従来の技術】
従来から、電気掃除機には、掃除機本体に接続された蛇腹状の接続管やこの接続管に着脱可能に接続される延長管などの管体の先端に着脱可能に吸込口体が接続されている。
【０００３】
また、この吸込口体の内部に、本体底面に形成された吸込開口の上方に位置するように回転清掃体を設けると共に、吸込口体の底面に設けられた車輪の回転駆動をベルト伝達して回転清掃体を回転させるものが知られている。
【０００４】
【発明が解決しようとする課題】
ところで、上記の如く構成された電気掃除機の吸込口体にあっては、車輪の回転駆動を回転清掃体にベルト伝達した場合、車輪と回転清掃体との両者間にベルトを掛け渡す組み付け作業が面倒であるという問題が生じていた。
【０００５】
また、単に両者間を直接ベルト伝達したのでは回転清掃体の回転方向が車輪の回転方向と同じとなって回転清掃体の被清掃面への叩き作用が減ってしまうばかりでなく、車輪と回転清掃体の回転数も同期して回転清掃体の高速回転が困難であるという問題も生じていた。
【０００６】
そこで、ベルトを使用せずに両者間に中間ギヤを介装し、この中間ギヤによって車輪の回転方向と回転清掃体の回転方向とを逆転させると共に、中間ギヤのギヤ比によって車輪の回転数よりも回転清掃体の回転数を多くすることが考えられる。
【０００７】
しかしながら、吸込口体は、その清掃作業、特に吸込口体を前方に押し出す作業の際には、その操作加重が吸込口体中央付近に設けられた接続管から斜め下方に加わることから、吸込口体全体に撓りが発生する。
【０００８】
この撓りは、中間ギヤとの噛み合いに滑りが発生し、車輪の回転駆動を回転清掃体に伝達することができないという不具合を発生させてしまう。
【０００９】
本発明は、上記問題を解決するため、ギヤを用いてベルト伝達による不具合を解消すると同時に、ギヤ伝達を確実に行うことができる電気掃除機の吸込口体を提供することを目的とする。
【００１０】
【課題を解決するための手段】
その目的を達成するため、請求項１に記載の電気掃除機の吸込口体は、本体の長手方向略中央から突出された接続管と、前記本体の底面に開口された吸込開口と、該吸込開口の上方に位置する前記本体内で回転可能に配置された回転清掃体と、前記本体の両端に回転可能に保持された一対の車輪と、該車輪の一方の内周面に設けられた内歯ギヤと、該内歯ギヤと噛み合うと共に前記回転清掃体の回転軸よりも上方且つ前記接続管寄りに配置された駆動ギヤと、該駆動ギヤと同軸に設けられた連動ギヤと、該連動ギヤと噛み合うと共に前記回転軸に設けられて前記車輪の回転方向と逆方向に前記回転清掃体を回転させる従動ギヤとを備えていることを要旨とする。
【００１１】
【発明の実施の形態】
次に、本発明の電気掃除機の吸込口体の実施の形態を図１乃至図６に基づいて説明する。尚、電気掃除機本体、蛇腹状の接続管、この接続管に着脱可能に接続される延長管等の電気掃除機の基本構成は周知のものと同一であるので図示を省略する。
【００１２】
図において、吸込口体１０は、一対の上下ケース１１，１２によって全体が略円筒形状とされる本体１３と、本体１３に回転可能に装着された接続管１４と、本体１３内に設けられた回転清掃体１５と、本体１３の両端に位置する左右一対の車輪１６，１７とを備えている。
【００１３】
上ケース１１は、断面略半円弧形状の合成樹脂からなり、その中央部には上縁部をアーチ状の庇１１ａで覆われた切欠開口１１ｂが形成されている。また、上ケース１１の両端には側壁１１ｃ，１１ｄがそれぞれ形成され、各側壁１１ｃ，１１ｄからは下方に開放する略半円弧形状の軸受庇１１ｅが突出されている。また、各側壁１１ｃ，１１ｄからは軸受庇１１ｅの基部側の上部を支持すると共に軸受庇１１ｅよりもさらに側方へと突出した軸受脚１１ｆが突出されている。さらに、一方の側壁１１ｃからは軸受庇１１ｅよりも上方で且つ庇１１ａ側に位置して下方に開放する略半円弧形状のギヤ軸受庇１１ｇが突出されている。また、上ケース１１の各側壁１１ｃ，１１ｄよりも内方には隔壁１１ｈが形成されている。
【００１４】
下ケース１２は、断面略半円弧形状の合成樹脂からなり、その中央には切欠開口１１ｂと係合すると共に本体１３の軸線方向と直行する方向に軸線を有する接続円筒部１１ａが形成されている。接続円筒部１２ａには接続管１４が回転可能に装着される。また、下ケース１２の両端には側壁１２ｂ，１２ｃが形成されている。各側壁１２ｂ，１２ｃからは上方に開放する円弧形状の軸受庇１２ｄが突出されている。さらに、側壁１２ｂからはギヤ軸受庇１１ｇ内に臨むギヤ軸受フランジ１２ｅが突出形成されている。また、上ケース１２の底面１２ｆには前後方向に延び且つ断面下向き凸字形状の枠１２ｇによって区画された複数の吸込開口１２ｈが形成されている。枠１２ｇは、吸込開口１２ｈを形成したことによる下ケース１２の強度を確保すると同時に直進性の維持の役割を果たす。さらに、下ケース１２の下方寄り前方には複数の窓１２ｉが形成されている。また、下ケース１２の各側壁１２ｂ，１２ｃよりも内方には隔壁１１ｈと協働して吸込室１８を形成する隔壁１２ｊが形成されている。尚、接続円筒部１２ａの基端には吸込室１８に連通する風路開口１２ｋが形成されている。
【００１５】
回転清掃体１５には、回転軸としての軸部１５ａの両端に隔壁１１ｈ，１２ｉ間に位置する略真円形状のフランジ１５ｂ，１５ｃが一体に形成されている。このフランジ１５ｂ，１５ｃの中心には中空の軸状突部１５ｄ，１５ｅが突出されている。また、この軸状突部１５ｄのフランジ１５ｂとの境界部分には従動ギヤ１５ｆが形成されている。さらに、フランジ１５ｂ，１５ｃには互いに対向する複数箇所（例えば、四等分点位置）に珠受軸１９の両端を保持する保持部１５ｇが形成されている。尚、珠受軸１９には複数の珠２０が軸上を変位可能に保持されている。
【００１６】
車輪１６は、外周に複数の歯部１６ａを有するように略有底円筒形状に形成されており、その底部に相当する側壁１６ｂの内面中心からは軸受庇１１ｅ，軸受脚１１ｆ，軸受庇１２ｄによって回転可能に挟持される軸受筒１６ｃが突出形成されている。この軸受筒１６ｃには軸状突部１５ｄが回転可能に挿入される。さらに、車輪１６の内周面１６ｄには内歯ギヤ１６ｅが一体形成されている。尚、この内歯ギヤ１６ｅは、別体のものを装着しても良い。
【００１７】
車輪１７は、外周に複数の歯部１７ａを有するように略有底円筒形状に形成されており、その底部に相当する側壁１７ｂの内面中心からは軸受庇１１ｅ，軸受脚１１ｆ，軸受庇１２ｄによって回転可能に挟持される軸受筒１７ｃが突出形成されている。この軸受筒１７ｃには軸状突部１５ｅが回転可能に挿入される。
【００１８】
一方、内歯ギヤ１６ｅと従動ギヤ１５ｆとの間は、図６に示すように、ギヤユニット２１が設けられている。
【００１９】
このギヤユニット２１は、内歯ギヤ１６ｅと噛み合う駆動ギヤ２２と、従動ギヤ１５ｆと噛み合う連動ギヤ２３と、各ギヤ２２，２３を連結すると共にギヤ軸受庇１１ｇとギヤ軸受フランジ１２ｅとに挟持されるギヤ軸２４とを備え、車輪１６の回転、即ち、内歯ギヤ１６ｅの回転によって（例えば、図６の矢印ａ）駆動ギヤ２２がギヤ軸２４並びに連動ギヤ２３と一体に回転（例えば、図６の矢印ｂ）し、この連動ギヤ２３の一体回転によって従動ギヤ１５ｆ、即ち、回転清掃体１５が車輪１６と逆方向に回転（例えば、図６の矢印ｃ）することとなる。
【００２０】
尚、図６の矢印ａ，ｂ，ｃは、清掃方向が前方走行（図６の矢印ｄ）の場合の回転方向を示し、清掃方向が後方走行の場合にはこれらが逆方向になる。
【００２１】
ところで、駆動ギヤ２２は、図２に示すように、回転清掃体１５の軸部１５ａ（回転軸）よりも上方に位置していると共に軸部１５ａよりも接続管１４寄りに配置されている。
【００２２】
したがって、上述した清掃方向が前方走行の場合、接続管１４が斜め上向きに延在されていることにより、その操作加重は本体１３の中心から斜め下方に向かうため、吸込口体１０には、その中心を下死点とするかのように微小な反りが発生する。
【００２３】
そして、このような反りが発生すると、従動ギヤ１５ｆが上方へと変位することとなり、これに連動してギヤユニット２１がギヤ軸受庇１１ｇに案内されつつ一体に上方へと変位する。
【００２４】
したがって、駆動ギヤ２２は上方へと変位しようとすることとなるため、この駆動ギヤ２２の配置位置と内歯ギヤ１６ｅの円弧形状とにより、内歯ギヤ１６ｅに対して食い込み作用が働き、内歯ギヤ１６ｅと駆動ギヤ２２との空回りが防止されている。
【００２５】
尚、上述したように、連動ギヤ２３は従動ギヤ１５ｆに押し上げられることから、互いの噛み合い状態は維持されることから、ギヤ全体の噛み合い状態は吸込口体１０の反りに関係なく良好に維持され、これにより、回転清掃体１５が効率よく回転する。
【００２６】
また、清掃方向が後方走行の場合、吸込口体１０は後方へと押し上げられるように操作されることから上述した反りは発生せず、ギヤ全体の噛み合い状態はそのまま良好に維持され、これにより、回転清掃体１５が効率よく回転する。
【００２７】
さらに、回転清掃体１５の回転数は、各ギヤ１６ｅ，２２，２３，１５ｆのギヤ比によって調整することができ、回転清掃体１５の高速回転を容易に確保することができる。
【００２８】
また、車輪１６，１７の中心から突出された軸受筒１６ｃ，１７ｃに回転清掃体１５の軸状突部１５ｄを回転可能に挿入保持させたことから、車輪１６，１７と回転清掃体１５とを同軸上で互いに逆方向に独立して回転させることができ、互いの挿入部分のラップ代分だけ幅方向の寸法を短くすることができ、しかも、車輪１６，１７と回転清掃体１５の何れか一方（上記実施の形態では車輪１６，１７側）を回転可能に保持すればよいことと相俟って、吸込口体１０全体の小型化をも実現することができる。
【００２９】
【発明の効果】
以上説明したように、請求項１に記載の電気掃除機の吸込口体にあっては、本体の長手方向略中央から突出された接続管と、前記本体の底面に開口された吸込開口と、該吸込開口の上方に位置する前記本体内で回転可能に配置された回転清掃体と、前記本体の両端に回転可能に保持された一対の車輪と、該車輪の一方の内周面に設けられた内歯ギヤと、該内歯ギヤと噛み合うと共に前記回転清掃体の回転軸よりも上方且つ前記接続管寄りに配置された駆動ギヤと、該駆動ギヤと同軸に設けられた連動ギヤと、該連動ギヤと噛み合うと共に前記回転軸に設けられて前記車輪の回転方向と逆方向に前記回転清掃体を回転させる従動ギヤとを備えていることにより、ギヤを用いてベルト伝達による不具合を解消すると同時に、ギヤ伝達を確実に行うことができる。
【図面の簡単な説明】
【図１】本発明の実施の形態１に係わる電気掃除機の吸込口体を示し、要部の縦断面図である。
【図２】同じく、一部を破断した吸込口体の側面図である。
【図３】同じく、吸込口体の平面図である。
【図４】同じく、吸込口体の底面図である。
【図５】同じく、車輪と接続管とを取り外した状態の要部の側面図である。
【図６】同じく、ギヤ噛み合い状態の説明図である。
【符号の説明】
１０…吸込口体
１１…上ケース
１２…下ケース
１２ｆ…底面（本体底面）
１２ｈ…吸込開口
１３…本体
１４…接続管
１５…回転清掃体
１５ａ…軸部（回転軸）
１５ｆ…従動ギヤ
１６…車輪
１６ｅ…内歯ギヤ
１７…車輪
２２…駆動ギヤ
２３…連動ギヤ
【図１】
0003730543.tif 000002
【図２】
0003730543.tif 000003
【図３】
0003730543.tif 000004
【図４】
0003730543.tif 000005
【図５】
0003730543.tif 000006
【図６】
0003730543.tif 000007